(57)【要約】【課題】  冷却系の放熱量が不足する場合は、滑らかに燃料電池の出力を制限し、燃料電池の過温度による劣化を防止する。【解決手段】  入口温度センサ５は、スタック入口の冷却水温度を検出して、コントローラ２１へ出力する。コントローラ２１は、冷却水ポンプ３を制御すると共に、入口温度センサ５が検出したスタック入口の冷却水温度に応じて、燃料電池スタック１から負荷１７へ供給する電力または電流を制限する。【選択図】      図１
2005044629.tif 000002
【特許請求の範囲】
【請求項１】
電解質膜を挟んで燃料極と酸化剤極が対設された燃料電池スタックと、
該燃料電池スタックに設けられた冷媒通路に冷媒を流して該燃料電池を冷却する冷却手段と、
前記冷媒の燃料電池スタック入口における温度を検出する入口温度検出手段と、
該入口温度検出手段が検出した前記冷媒の温度に応じて、前記燃料電池スタックの取り出し電力または電流を制限する出力制限手段と、
を備えたことを特徴とする燃料電池システム。
【請求項２】
前記出力制限手段は、前記冷媒温度が高くなるほど、燃料電池スタックの取り出し電力または電流の制限値を低く設定することを特徴とする請求項１記載の燃料電池システム。
【請求項３】
電解質膜をはさんで燃料極と酸化剤極が対設された燃料電池スタックと、
該燃料電池スタックに設けられた冷媒通路に冷媒を流して該燃料電池を冷却する冷却手段と、
前記冷媒の燃料電池スタック入口における温度を検出する入口温度検出手段と、
前記冷媒の燃料電池スタック出口における温度を予測する出口温度予測手段と、
該出口温度検出手段が予測した前記冷媒の温度に応じて、前記燃料電池スタックの取り出し電力または電流を制限する出力制限手段と、
を備えたことを特徴とする燃料電池システム。
【請求項４】
前記冷媒の流量を直接または間接的に検出する冷媒流量検出手段と、
燃料電池スタックから前記冷媒への放熱量を予測する放熱量予測手段とを備え、
前記出口温度予測手段は、
前記冷媒流量検出手段が検出した冷媒流量と、前記放熱量予測手段が予測した放熱量とに基づいて、前記冷媒の燃料電池スタック出口温度を予測することを特徴とする請求項３記載の燃料電池システム。
【請求項５】
前記放熱量予測手段は、燃料電池スタックの取り出し電力または電流に基づいて、前記放熱量を予測することを特徴とする請求項４記載の燃料電池システム。
【請求項６】
前記放熱量予測手段は、燃料電池スタックの取り出し電力または電流と、燃料電池スタックの出力電圧とから、前記放熱量を予測することを特徴とする請求項４記載の燃料電池システム。
【請求項７】
燃料電池スタックの温度を直接または間接的に検出するスタック温度検出手段を備え、
前記放熱量予測手段は、燃料電池スタックの取り出し電力または電流と、前記スタック温度検出手段が検出した燃料電池スタックの温度とから、前記放熱量を予測することを特徴とする請求項５記載の燃料電池システム。
【請求項８】
少なくとも燃料電池の高負荷領域にて、燃料電池の出力が大きくなるほど、前記燃料電池スタック入口の冷媒温度と前記予測された燃料電池スタック出口冷媒温度との差が大きくなるように、前記冷媒の流量を設定する冷媒流量設定手段を備えたことを特徴とする請求項１ないし請求項７の何れか１項に記載の燃料電池システム。
【請求項９】
前記冷媒の燃料電池スタック出口温度を検出する出口温度検出手段を備え、
前記出力制御手段は、前記出口温度検出手段が検出した温度が所定値を超えたら、燃料電池スタックの取り出し電力または電流を制限することを特徴とする請求項１ないし請求項８の何れか１項に記載の燃料電池システム。
【請求項１０】
冷媒温度上昇時に、冷媒の燃料電池スタック出口温度に応じた燃料電池スタックの取り出し電力または電流の制限よりも、冷媒の燃料電池スタック入口温度に応じた燃料電池スタックの取り出し電力または電流の制限が先に行われるように前記所定値を設定したことを特徴とする請求項９に記載の燃料電池システム。
【発明の詳細な説明】
【技術分野】
【０００１】
本発明は、燃料電池システムに係り、特に燃料電池からの取り出し電力を制限して、過剰な温度上昇から燃料電池スタックを保護する機能を備えた燃料電池システムに関する。
【背景技術】
【０００２】
燃料電池は、水素ガスなどの燃料ガスと酸素を有する酸化ガスとを電解質を介して電気化学的に反応させ、電解質両面に設けた電極間から電気エネルギを直接取り出すものである。特に固体高分子電解質を用いた固体高分子型燃料電池は、動作温度が低く、取り扱いが容易なことから電動車両用の電源として注目されている。すなわち、燃料電池車両は、高圧水素タンク、液体水素タンク、水素吸蔵合金タンクなどの水素貯蔵装置を車両に搭載し、そこから供給される水素と、酸素を含む空気とを燃料電池に送り込んで反応させ、燃料電池から取り出した電気エネルギで駆動輪につながるモータを駆動するものであり、排出物質は水だけであるという究極のクリーン車両である。
【０００３】
燃料電池システムでは、燃料の持つエネルギのうち、電力として取り出せない分は、熱に変換される。この熱量により燃料電池の温度が許容温度以上に上昇すると、燃料電池が劣化する。このため、燃料電池システムでは、発電時に発生する熱を冷却水を介してラジエータ等の熱交換器により系外に放出する冷却システムが設けられている。
【０００４】
固体高分子型燃料電池においては、主として固体高分子電解質膜の耐熱温度から運転温度の上限が決められ、この上限温度を超えないように燃料電池スタックを冷却する必要がある。
【０００５】
燃料電池の発熱量に対して冷却能力が不足した場合には、燃料電池からの取り出し電力を制限して、発熱量を抑制する特許文献１記載の技術が知られている。
【０００６】
この従来例では、外気温度が高く冷却装置から十分な放熱ができない時は、外気温度に応じて燃料電池プラントの出力を制限して、過温度による燃料電池の劣化を防止している。
【特許文献１】特開平０５−０７４４７７号公報（第３頁、図１）
【発明の開示】
【発明が解決しようとする課題】
【０００７】
しかしながら、上記従来例では、外気温度から出力制限値関数発生器で燃料電池の出力上限値を算出していたため、冷却水温度が許容最高温度に対して余裕を持って低い場合でも、すなわち最大出力を取り出せる状態においても、外気温度のみで出力制限してしまい、所望の電力を利用できなくなってしまうという問題点があった。
【課題を解決するための手段】
【０００８】
本発明は、上記問題点を解決するため、電解質膜をはさんで燃料極と酸化剤極が対設された燃料電池スタックと、該燃料電池スタックに設けられた冷媒通路に冷媒を流して該燃料電池を冷却する冷却手段と、前記冷媒の燃料電池スタック入口における温度を検出する入口温度検出手段と、該入口温度検出手段が検出した前記冷媒の温度に応じて、前記燃料電池スタックの取り出し電力または電流を制限する出力制限手段と、を備えたことを要旨とする。
【発明の効果】
【０００９】
本発明によれば、燃料電池スタック入口の冷媒温度に応じて燃料電池スタックの取り出し電力または電流に制限をかけることにより、放熱量が不足する場合は、滑らかに燃料電池の出力を制限し、燃料電池の過温度による劣化を防止することが可能な燃料電池システムを提供することができるという効果がある。
【００１０】
また本発明によれば、過度の取り出し電力または電流の制限を抑制し、最大限可能な電力または電流を負荷に供給することができる燃料電池システムを提供することができるという効果がある。
【発明を実施するための最良の形態】
【００１１】
本発明によれば、入口温度検出手段により燃料電池スタック入口の冷媒温度を検出し、この入口の冷媒温度に応じて燃料電池スタックの取り出し電力または電流を制限することにより、燃料電池システムの過温度による劣化を防止しながら最大限可能な電力または電流を取り出すことができる。以下、図面を参照して本発明に係る燃料電池システムの各実施例を説明する。
【実施例１】
【００１２】
図１は、実施例１の燃料電池システムの構成を説明するシステム構成図であり、過渡的な出力特性に優れ、燃料電池車両に好適な燃料電池システムである。
【００１３】
図１において、燃料電池スタック１は、固体高分子電解質膜を挟んで酸化剤極と燃料極を対設した燃料電池構造体をセパレータで挟持したセル（単位電池）を複数積層した燃料電池スタックである。燃料としては水素、酸化剤としては空気を用いる。
【００１４】
燃料電池スタック１は、冷却水通路２を循環する冷却水により冷却され、冷却水通路２には、冷却水を循環させる冷却水ポンプ３、冷却水の熱を系外へ放熱するためのラジエータ４が設けられる。また、冷却水通路の燃料電池スタック１の入口には、入口温度センサ５を設ける。
【００１５】
コントローラ２１は、入口温度センサ５が検出したスタック入口冷却水温度に応じて、冷却水ポンプ３を制御すると共に、入口温度センサ５が検出したスタック入口の冷却水（冷媒）温度に応じて、燃料電池スタック１から負荷１７へ供給する電力または電流を制限する出力制限手段である。
【００１６】
尚、燃料電池スタック１と負荷１７との間に設けられた電流計１８は、燃料電池スタック１から負荷１７へ供給する電流値を検出して、コントローラ２１へ電流値を出力する。
【００１７】
水素タンク６は、燃料ガスとして水素を高圧で貯蔵する。水素タンク６の水素ガスは、可変絞り弁を用いた水素調圧弁７を介して圧力が調整され、水素供給配管８を介して燃料電池スタック１に供給される。水素調圧弁７は、通常運転時は、圧力センサ９で検知した燃料電池スタック１への水素供給圧が適正になるように、コントローラ２１で制御される。
【００１８】
水素調圧弁７と燃料電池スタック１の間の水素供給配管８には、イジェクタ１１が設けられる。燃料電池スタック１から排出される余剰水素は、水素戻り配管１０からイジェクタ１１の吸入口に戻され、イジェクタ１１で水素を循環させることにより、燃料電池スタック１の安定した発電を維持するとともに、反応効率を上げている。
【００１９】
開閉弁を用いたパージ弁１２は、通常運転時は閉じられており、水素系内に酸化剤極から拡散してきた窒素が蓄積された場合や、燃料電池スタック１の燃料極に水詰まりが発生した場合に、コントローラ２１から開弁指令を受けて開き、窒素や液水を外部に排出する。
【００２０】
コンプレッサ１３が圧縮した空気は、空気供給配管１４を介して燃料電池スタック１の酸化剤極に供給される。酸化剤極出口には、可変絞り弁を用いた空気調圧弁１６が設けられている。コントローラ２１は、酸化剤極の入口に設けた圧力センサ１５の検出値に応じて、空気調圧弁１６の開度を制御し、酸化剤極の空気圧力を適正に維持しながら、酸化剤極出口から酸素が消費された残りの空気を排出する。
【００２１】
図２（ａ）は、スタック取り出し電流と燃料電池スタック１の冷却水流量との関係を示し、図２（ｂ）は、スタック取り出し電流と冷却水のスタック入口出口温度差の関係を示す。
【００２２】
本実施例では、図２（ａ）に示したように、スタック取り出し電流Ｉo が中〜高電流範囲では、冷却水ポンプ３の冷却水量を略一定とした。こうすることにより、図２（ｂ）に示したように、中〜高電流範囲では、電流Ｉo の増加に伴い、冷却水のスタック入口出口温度差ΔＴが増加するようになる。
【００２３】
図３は、本発明における冷却水温度による燃料電池スタックからの取り出し電流の制限の考え方を示す図である。
【００２４】
スタック内部の温度と最も相関が高いのは、スタック出口における冷却水温度Ｔwoである。従って、右側グラフ縦軸のスタック入口冷却水温度Ｔwiと同出口温度Ｔwoとの許容温度差は、次に示す式（１）となり、図３右に示すようにスタック入口温度Ｔwiに対し、右下がりの直線となる。
【００２５】
（数１）
許容温度差＝冷却水出口許容最大温度−冷却水入口温度    …（１）
ここで、スタック入口冷却水温度ＴwiがＴＬ〔℃〕以下であれば、スタック取り出し電流Ｉo を最大電流Ａmax まで取り出しても、スタック出口冷却水温度は許容温度以下であり、取り出し電流を制限する必要はない。
【００２６】
スタック入口冷却水温度ＴwiがＴ１〔℃〕まで上昇すると、取り出し電流Ｉo をＡ１〔Ａ〕に制限すれば、冷却水出口温度が許容最高温度を超えないことになる。また、ラジエータ能力と想定される最高外気温においても、取り出し電流Ｉo がＡＬ〔Ａ〕までは必要なラジエータ放熱量が確保される設計であれば、冷却水入口出口温度差ΔＴが電流Ｉo に対して右上がりの特性になるのはＡＬ〔Ａ〕以上でよい。
【００２７】
以上のような考え方で、図４に示すように、スタック入口冷却水温度Ｔwiに対して、取り出し可能最大電流Ａmax 〔Ａ〕を定める。即ち、スタック入口冷却水温度ＴwiがＴＬ〔℃〕以下であれば、燃料電池スタック１からは、最大電流Ａmax 〔Ａ〕を取り出すことができ、ＴwiがＴＬ〔℃〕を超えると、超えた温度（Ｔwi−ＴＬ）に比例した取り出し許可最大電流（出力可能電流）Ｉlim の減少が生じるように、取り出し許可最大電流Ｉlim を制限する。
【００２８】
図５は、本実施例のコントローラ２１によるスタック取り出し可能電流の制限制御を説明するフローチャートである。
【００２９】
まずＳ１で、コントローラ２１は、入口温度センサ５からスタック入口冷却水温度Ｔwiを読み込み、Ｓ２では図４に示したようなマップを用いて、スタック入口冷却水温度Ｔwiに対する取り出し許可最大電流Ｉlim を読み込む。ここで、マップの代わりに同等な計算式を用いてもよい。
【００３０】
Ｓ３にて、要求出力電流と取り出し許可最大電流とを比較して、小さい方の電流値を選択して取り出し電流とし、Ｓ４にて、その電流を取り出すのである。
【００３１】
車両用の動力源として燃料電池を用いる場合、燃料電池での発熱を外部に放出するラジエータの能力が不足することが往々にして生じる。これは、通常の内燃機関を動力源とする場合と比較し、ラジエータの要求放熱量は略同等なのに対し、燃料電池の許容できる最高冷却水運転温度が内燃機関より低く、燃料電池の方が冷却水と外気の温度差を確保できないことによる。すなわち、燃料電池の場合、車載できるサイズのラジエータでは、能力が不足してしまう場合があるのである。
【００３２】
本実施例では、外気温の上昇によりラジエータ能力が不足するような条件においても、冷却水出口スタック温度は、許容最大温度を超えないように制御でき、スタックの過温度による劣化を防止できる。
【００３３】
また、このように制御すると、外気温が高くても、冷却水温度が低い場合は、大きな負荷を取り出せるので、不要な車両動力性能の低下を抑制できる。
【００３４】
なお、燃料電池内部の最高温度との相関が高い、冷却水の燃料電池出口温度をモニタし、これが所定の温度を超えたら、その温度に応じて負荷を制限する方法も考えられる。
【００３５】
しかし、この従来の制御方法では、図１５に示すように、スタック出口冷却水温度Ｔwoが上がると負荷が制限され、負荷が制限されると冷却水温度Ｔwoが下がって制限が解除されることを繰り返す。この結果として、最大負荷が増減を繰り返すハンチングを起こすようになり、燃料電池の電力を使用する車両の駆動力が増減を繰り返し、車両の運転者に違和感を与えるという問題があった。
【００３６】
本実施例は、燃料電池スタック入口の冷媒温度に応じてスタック取り出し電流に制限をかけることにより、滑らかに燃料電池の出力を制限し、運転者に違和感を与えることが回避可能となった。
【００３７】
また、少なくとも高負荷領域にて、燃料電池の出力が多くなるほど、冷媒の燃料電池入口、出口温度差が大きくなるように、冷媒流量を設定することにより、上述したハンチングの抑制効果が強まり、より滑らかに燃料電池の出力を制限することが可能となった。
【実施例２】
【００３８】
本実施例では、電流に対する冷却水のスタック入口出口温度差を予測し、スタック入口冷却水温度＋上記温度差、すなわち、スタック出口冷却水温度の予測値が所定値を超えないように、取り出し電流に制限をかけるようにした。
【００３９】
なお、取り出し電流制限の可能性のある高負荷領域にて、電流が増加すればスタック入口出口冷却水温度差が増加するように、冷却水流量を設定することは、実施例１と同様である。
【００４０】
このため、本実施例においては、図６に示すようなスタック取り出し電流Ｉo に対するスタック入口出口冷却水温度差ΔＴを予め測定して、制御マップとしてコントローラ２１に記憶させておく。
【００４１】
以下、図７のフローチャートに基づいて、本実施例におけるコントローラ２１による取り出し電流制限の動作について説明する。
【００４２】
まず、Ｓ１１でコントローラ２１は、入口温度センサ５からスタック入口冷却水温度Ｔwiを読み込み、Ｓ１２にてスタック入口出口冷却水温度差の許容値を算出する。許容値は、所定値、すなわち冷却水スタック出口の許容最大温度から、Ｓ１１で読み込んだスタック入口冷却水温度を差し引くことで計算できる。
【００４３】
次いで、Ｓ１３にて図６に示すスタック入口出口冷却水温度差を読み込み、Ｓ１４にて、Ｓ１２とＳ１３の結果から取り出し許可最大電流を算出する。取り出し可能最大電流とは、冷却水スタック入口＋予測入口出口温度差が、冷却水スタック出口の許容最大温度となる電流である。
【００４４】
次いでＳ１５にて、要求電流と取り出し許可最大電流の小さい方の電流値を選択し、Ｓ１６でその電流値を取り出し負荷に供給する。
【００４５】
以上説明した実施例２にて、実施例１と全く同様の効果が得られ、スタックの過温度による劣化を防止できる範囲で、常に取り出し可能な最大電流を引き出せるとともに、運転者に違和感を与えない滑らかな電流の制限が可能である。
【実施例３】
【００４６】
図９は、実施例３の燃料電池システムの構成を説明するシステム構成図である。本実施例での基本的な考え方は、実施例２と同様であり、違いは図７のＳ１３におけるスタック入口出口冷却水温度差の予測精度を向上させたことである。このため、図９の構成図において、冷却水通路２に冷却水流量計１９を追加している。その他の構成は、図１に示した実施例１と同様であるので、同じ構成要素には、同じ符号を付与して、重複する説明を省略する。
【００４７】
図８に示すように、スタックの放熱量が同等であっても、スタック冷却水流量が変化すると、スタック入口出口冷却水温度差ΔＴは変化する。
【００４８】
冷却水として例えば、純水とエチレングリコールの混合液などの不凍液を用い、その混合割合が出荷後の燃料電池システムで十分管理できないような場合、冷却水ポンプ３の回転速度が一定でも冷却水流量がばらついてしまうが、そのような場合を考慮して考案されたものである。
【００４９】
図１０に示すような、スタック取り出し電流Ｉo に対するスタック放熱量Ｑ（Ｊ／ｓ）を予めマップとしてコントローラ２１に記憶しておき、これを参照することにより、以下の式（２）を用いて、スタック入口出口冷却水温度差ΔＴを算出できる。
【００５０】
（数２）
スタック入口出口冷却水温度差ΔＴ＝スタック放熱量Ｑ／冷却水流量Ｆw  …（２）
本実施例では、図７のＳ１３におけるスタック入口出口冷却水温度差の予測を図８、図１０の特性を記憶したマップを参照することによって、冷却水流量がばらついた場合でも、精度よく取り出し電流に制限をかけることが可能となった。
【００５１】
また、スタックからの放熱量は、スタックそのものの効率ばらつきやスタックの温度の影響を受ける。
【００５２】
図１１には、スタックの効率ばらつきによる放熱量のばらつきを示す。等電流で比較すると、スタック効率が低い場合は、スタックの出力電圧が下がり、放熱量は多くなる。
【００５３】
また、図１２にはスタック温度の影響を示す。スタック温度が低い場合は、スタックの効率が低下するとともに、スタック内で生成した水が液水となるため、水蒸気として空気調圧弁１６から排出される場合に比べて、凝縮熱の分だけ冷却水への放熱量が増える傾向となる。
【００５４】
そこで、図１０の特性を記憶したマップに代えて、図１１あるいは図１２の特性を記憶したマップを参照することによってより高精度の予測が可能になる。
【００５５】
上記のようにして放熱量を予測することにより、更に高精度で取り出し電流に制限をかけることが可能となるのである。
【実施例４】
【００５６】
図１３は、実施例４の燃料電池システムの構成を説明するシステム構成図である。図１３に示すように、本実施例では、スタック出口冷却水温度を検知する出口温度センサ２０を追加している。その他の構成は、図１に示した実施例１と同様であるので、同じ構成要素には、同じ符号を付与して、重複する説明を省略する。
【００５７】
本実施例におけるコントローラ２１は、上述してきた実施例１から実施例３におけるスタック入口冷却水温度に基づいた取り出し電流の制限に加え、図１４に示すように、スタック出口冷却水温度でも電流制限を加えるようにした。
【００５８】
この電流制限の設定は、通常運転時には、スタック出口冷却水温度による電流制限よりも、スタック入口冷却水温度による電流制限が先に作動するように設定する。言い換えれば、ある取り出し電流制限値Ｉlim1における入口冷却水温度Ｔwi1 に、この電流による入口出口温度差ΔＴ1 を加えた値に相当する出口冷却水温度Ｔwo1 （＝Ｔwi1 ＋ΔＴ1 ）で制限する取り出し電流値Ｉlim'がＩlim1より大きい値に設定する。
【００５９】
但し、冷却水異常によりその流動性が低下した場合、冷却水通路内の異物等により冷却水通路の抵抗が増加した場合、或いは冷却水ポンプの劣化等により冷却水流量が低下した場合などの異常時には、入口出口温度差が通常時より大きくなるので、スタック入口冷却水温度による電流制限値よりもスタック出口冷却水温度による電流制限値が小さくなり、スタック出口冷却水温度による取り出し電流制限が先に作動する状態となる。
【００６０】
先に説明したように、スタックに劣化を与えないためには、スタック出口冷却水温度が所定値を超えないようにすることが重要である。
【００６１】
スタック出口冷却水温度で電流制限をかけた場合は、本発明の第１から第３実施例のスタック入口冷却水温度に基づいた取り出し電流の制限よりも、確実に過温度によるスタックの劣化を防止できる半面、スタック出口冷却水温度による電流制限のみでは、図１５にて前述したように、取り出し電流が変動し、これが駆動力変動となって運転者に違和感を与えてしまう。
【００６２】
しかし、本実施例では入口温度に基づいた取り出し電流の制限が先に作動するように設定することで、滑らかな制限が可能であるとともに、より確実に、過温度によるスタックの劣化を防止できるのである。
【００６３】
なお、以上説明してきた各実施例では、取り出し電流に制限を加えるようにしたが、同様の手法で、取り出し電力に制限を加えても全く同じ効果が得られることは言うまでも無い。
【産業上の利用可能性】
【００６４】
本発明の活用例として、燃料電池自動車、非電化区間を走行可能な鉄道車両、定置型燃料電池システム等がある。
【図面の簡単な説明】
【００６５】
【図１】実施例１の燃料電池システムの構成を説明するシステム構成図である。
【図２】（ａ）スタック取り出し電流に対する冷却水流量、（ｂ）スタック取り出し電流に対するスタック入口出口冷却水温度差をそれぞれ説明する図である。
【図３】冷却水温度によるスタック取り出し電流の制限の考え方を説明する図である。
【図４】スタック入口冷却水温度に対する取り出し許可最大電流を説明する図である。
【図５】実施例１におけるスタック取り出し電流制御を説明するフローチャートである。
【図６】スタック取り出し電流に対するスタック入口出口冷却水温度差を求めるマップの例である。
【図７】実施例２におけるスタック取り出し電流制御を説明するフローチャートである。
【図８】スタック冷却水量、スタック放熱量、スタック入口出口冷却水温度差の関係を説明する図である。
【図９】実施例３の燃料電池システムの構成を説明するシステム構成図である。
【図１０】スタック取り出し電流に対するスタック放熱量を求めるマップの例である。
【図１１】スタック放熱量に対するスタック効率の影響を説明する図である。
【図１２】スタック放熱量に対するスタック温度の影響を説明する図である。
【図１３】実施例４の燃料電池システムの構成を説明するシステム構成図である。
【図１４】スタック出口冷却水温度に対する取り出し許可最大電流を説明する図である。
【図１５】従来のスタック出口冷却水温度による負荷制限時のハンチング現象を説明する図である。
【符号の説明】
【００６６】
１…燃料電池スタック
２…冷却水通路
３…冷却水ポンプ
４…ラジエータ
５…入口温度センサ
６…水素タンク
７…水素調圧弁
８…水素供給配管
９…圧力センサ
１０…水素戻り配管
１１…イジェクタ
１２…パージ弁
１３…コンプレッサ
１４…空気供給配管
１５…圧力センサ
１６…空気調圧弁
１７…負荷
１８…電流計
１９…冷却水流量計
２０…出口温度センサ
２１…コントローラ
【図１】
2005044629.tif 000003
【図２】
2005044629.tif 000004
【図３】
2005044629.tif 000005
【図４】
2005044629.tif 000006
【図５】
2005044629.tif 000007
【図６】
2005044629.tif 000008
【図７】
2005044629.tif 000009
【図８】
2005044629.tif 000010
【図９】
2005044629.tif 000011
【図１０】
2005044629.tif 000012
【図１１】
2005044629.tif 000013
【図１２】
2005044629.tif 000014
【図１３】
2005044629.tif 000015
【図１４】
2005044629.tif 000016
【図１５】
2005044629.tif 000017